【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）変調を用いるＭＩＭＯアンテナシステムにおいて、下りリンク又は上りリンク通信に用いるためのパイロットサブキャリアを割り当てることにより、パイロット信号を送信する方法であって、
時間及び周波数領域において、第１のアンテナに対して第１のパイロットを割り当てるステップであって、該時間及び周波数領域は、時間領域でＯＦＤＭシンボル、周波数領域でサブキャリアを有するステップと、
前記時間及び周波数領域において、第２のアンテナに対して第２のパイロットを割り当てるステップと、
前記第１及び第２のパイロットを受信機に送信するステップと、
を有し、
前記第１のパイロットの１つと前記第２のパイロットの１つからなる対のそれぞれは、２個の隣接するＯＦＤＭシンボルに割り当てられ、
同一のＯＦＤＭシンボル内に割り当てられた前記対は、前記周波数領域において、９サブキャリアを単位として割り当てられ、
前記第１のパイロット及び前記第２のパイロットは、それぞれのＯＦＤＭシンボルに交互に割り当てられる、パイロット信号を送信する方法。
【請求項２】
前記対のそれぞれに割り当てられた前記第１のパイロット及び前記第２のパイロットの順序が、同一のＯＦＤＭシンボル内に割り当てられる前記対毎に変化する、請求項１に記載のパイロット信号を送信する方法。
【請求項３】
周波数選択性を区分化するために、２ＯＦＤＭシンボル離れている前記第１のパイロットのそれぞれは、３サブキャリアの倍数によりシフトされ、２ＯＦＤＭシンボル離れている前記第２のパイロットのそれぞれは、３サブキャリアの倍数によりシフトされる、請求項１に記載のパイロット信号を送信する方法。
【請求項４】
それぞれのＯＦＤＭシンボルは、該それぞれのＯＦＤＭシンボルに割り当てられた第１及び第２のパイロットを有する、請求項１に記載のパイロット信号を送信する方法。
【請求項５】
それぞれのＯＦＤＭシンボルに割り当てられた前記第１及び第２のパイロットのそれぞれの数は同一である、請求項４に記載のパイロット信号を送信する方法。
【請求項６】
前記時間及び周波数領域において、第３のアンテナに対して第３のパイロットを割り当てるステップと、
前記時間及び周波数領域において、第４のアンテナに対して第４のパイロットを割り当てるステップと、
前記第３及び第４のパイロットを前記受信機に送信するステップと、
を更に有し、
前記第３のパイロットの１つと前記第４のパイロットの１つからなる第２の対のそれぞれは、２個の隣接するＯＦＤＭシンボルに割り当てられ、
同一のＯＦＤＭシンボル内に割り当てられた前記第２の対は、前記周波数領域において、９サブキャリアを単位として割り当てられ、
前記第３のパイロット及び前記第４のパイロットは、それぞれのＯＦＤＭシンボルに交互に割り当てられる、請求項１に記載のパイロット信号を送信する方法。
【請求項７】
前記第２の対のそれぞれの前記第３のパイロット及び前記第４のパイロットの順序が、同一のＯＦＤＭシンボル内に割り当てられる前記第２の対毎に変化する、請求項６に記載のパイロット信号を送信する方法。
【請求項８】
前記割り当てられた第１のパイロットは前記周波数領域で前記割り当てられた第３のパイロットと隣接し、前記割り当てられた第２のパイロットは前記周波数領域で前記割り当てられた第４のパイロットと隣接する、請求項６に記載のパイロット信号を送信する方法。
【請求項９】
周波数選択性を区分化するために、２ＯＦＤＭシンボル離れている前記第３のパイロットのそれぞれは、３サブキャリアの倍数によりシフトされ、２ＯＦＤＭシンボル離れている前記第４のパイロットのそれぞれは、３サブキャリアの倍数によりシフトされる、請求項６に記載のパイロット信号を送信する方法。
【請求項１０】
前記時間及び周波数領域は、前記上りリンク及び下りリンク通信のうち一つに用いられる、請求項１に記載のパイロット信号を送信する方法。
【請求項１１】
前記時間及び周波数領域は、ＦＵＳＣパーミュテーションモードの形態で用いられる、請求項１に記載のパイロット信号を送信する方法。
【請求項１２】
前記時間及び周波数領域は、ＡＭＣパーミュテーションモードの形態で用いられる、請求項１に記載のパイロット信号を送信する方法。
【請求項１３】
第１のＯＦＤＭシンボルに割り当てられた前記第１のパイロットの開始位置は、１サブキャリアによりオフセットされる、請求項１に記載のパイロット信号を送信する方法。
【請求項１４】
それぞれのＯＦＤＭシンボルは、該それぞれのＯＦＤＭシンボルに割り当てられた第１、第２、第３及び第４のパイロットを有する、請求項８に記載のパイロット信号を送信する方法。
【請求項１５】
それぞれのＯＦＤＭシンボルに割り当てられた前記第１、第２、第３及び第４のパイロットのそれぞれの数は同一である、請求項１４に記載のパイロット信号を送信する方法。
【請求項１６】
下りリンク又は上りリンク通信のための直交周波数分割多重（ＯＦＤＭ）変調を用いる無線通信システムであって、
ＭＩＭＯアンテナと、
前記ＭＩＭＯアンテナに動作可能に接続されるＯＦＤＭ変調器と、
前記ＯＦＤＭ変調器に動作可能に接続されるプロセッサと、を有し、
前記プロセッサは、時間領域でＯＦＤＭシンボル、周波数領域でサブキャリアを有する時間及び周波数領域において、第１のアンテナに対して第１のパイロット及び第２のアンテナに対して第２のパイロットを割り当てるように構成され、
前記第１のパイロットの１つと前記第２のパイロットの１つからなる対のそれぞれは、２個の隣接するＯＦＤＭシンボルに割り当てられ、
同一のＯＦＤＭシンボル内に割り当てられた前記対は、前記周波数領域において、９サブキャリアを単位として割り当てられ、
前記第１のパイロット及び前記第２のパイロットは、それぞれのＯＦＤＭシンボルに交互に割り当てられる、無線通信システム。
【請求項１７】
前記対のそれぞれに割り当てられた前記第１のパイロット及び前記第２のパイロットの順序が、同一のＯＦＤＭシンボル内に割り当てられる前記対毎に変化する、請求項１６に記載の無線通信システム。
【請求項１８】
周波数選択性を区分化するために、２ＯＦＤＭシンボル離れている前記第１のパイロットのそれぞれは、３サブキャリアの倍数によりシフトされ、２ＯＦＤＭシンボル離れている前記第２のパイロットのそれぞれは、３個のサブキャリアの倍数によりシフトされる、請求項１６に記載の無線通信システム。
【請求項１９】
それぞれのＯＦＤＭシンボルは、該それぞれのＯＦＤＭシンボルに割り当てられた第１及び第２のパイロットを有する、請求項１６に記載の無線通信システム。
【請求項２０】
それぞれのＯＦＤＭシンボルに割り当てられた前記第１及び第２のパイロットのそれぞれの数は同一である、請求項１９に記載の無線通信システム。
【請求項２１】
前記プロセッサは、さらに、前記時間及び周波数領域において、第３のアンテナに対して第３のパイロット及び第４のアンテナに対して第４のパイロットを割り当てるように構成され、
前記第３のパイロットの１つと前記第４のパイロットの１つからなる第２の対のそれぞれは、２個の隣接するＯＦＤＭシンボルに割り当てられ、
同一のＯＦＤＭシンボル内に割り当てられた前記第２の対は、前記周波数領域において、９サブキャリアを単位として割り当てられ、
前記第３のパイロット及び前記第４のパイロットは、それぞれのＯＦＤＭシンボルに交互に割り当てられる、請求項１６に記載の無線通信システム。
【請求項２２】
前記対のそれぞれに割り当てられた前記第３のパイロット及び前記第４のパイロットの順序が、同一のＯＦＤＭシンボル内に割り当てられる前記対毎に変化する、請求項２１に記載の無線通信システム。
【請求項２３】
前記割り当てられた第１のパイロットは前記周波数領域で前記割り当てられた第３のパイロットと隣接し、前記割り当てられた第２のパイロットは前記周波数領域で前記割り当てられた第４のパイロットと隣接する、請求項２１に記載の無線通信システム。
【請求項２４】
周波数選択性を区分化するために、２ＯＦＤＭシンボル離れている前記第３のパイロットのそれぞれは、３サブキャリアの倍数によりシフトされ、２ＯＦＤＭシンボル離れている前記第４のパイロットのそれぞれは、３サブキャリアの倍数によりシフトされている、請求項２１に記載の無線通信システム。
【請求項２５】
前記時間及び周波数領域は、前記上りリンク及び下りリンク通信のうち一つに用いられる、請求項１６に記載の無線通信システム。
【請求項２６】
前記時間及び周波数領域は、ＦＵＳＣパーミュテーションモードの形態で用いられる、請求項１６に記載の無線通信システム。
【請求項２７】
前記時間及び周波数領域は、ＡＭＣパーミュテーションモードの形態で用いられる、請求項１６に記載の無線通信システム。
【請求項２８】
第１のＯＦＤＭシンボルに割り当てられた前記第１のパイロットの開始位置は、１サブキャリアによりオフセットされる、請求項１６に記載の無線通信システム。
【請求項２９】
それぞれのＯＦＤＭシンボルは、該それぞれのＯＦＤＭシンボルに割り当てられた第１、第２、第３及び第４のパイロットを有する、請求項２３に記載の無線通信システム。
【請求項３０】
それぞれのＯＦＤＭシンボルに割り当てられた前記第１、第２、第３及び第４のパイロットのそれぞれの数は同一である、請求項２９に記載の無線通信システム。
【請求項３１】
前記プロセッサは、
入力ストリームを符号化し、コードワードを生成するチャネルエンコーダと、
前記コードワードを信号座標上の位置を表すシンボルにマッピングするマッパーと、
前記シンボルを処理するＭＩＭＯプロセッサと、
を更に有する、請求項１６に記載の無線通信システム。